(57)【要約】【課題】  イベント参加者に対してイベントの有用性に関する情報を提供することにより、イベント主催者およびイベント参加者の双方にとってイベントを有効に活用することが可能なイベント開催情報提供システムを提供する。【解決手段】  イベント開催情報を入力するイベント開催情報入力手段１１と、各イベント開催情報の有用性を分析して数値情報化する有用性分析手段１２と、イベント開催情報および有用性に関する数値情報を記憶するイベント開催情報データベース１６と、イベント検索情報を入力する検索情報入力手段１３と、イベント開催情報データベース１６を参照し、入力された検索情報に基づいて所望のイベント開催情報を検索するイベント開催情報検索手段１４と、検索結果を表示する検索結果表示手段１５とを備える。【選択図】  図１
2007065812.tif 000002
【特許請求の範囲】
【請求項１】
イベント開催情報を入力するイベント開催情報入力手段（１１）と、
該イベント開催情報入力手段により入力された各イベント開催情報について、その有用性を分析して数値情報化する有用性分析手段（１２）と、
前記イベント開催情報および有用性に関する数値情報を記憶するイベント開催情報データベース（１６）と、
イベント検索情報を入力する検索情報入力手段（１３）と、
前記イベント開催情報データベースを参照し、前記検索情報入力手段により入力された検索情報に基づいて所望のイベント開催情報を検索するイベント開催情報検索手段（１４）と、
該イベント開催情報検索手段により検索されたイベント開催情報を、有用性に関する数値情報とともに表示する検索結果表示手段（１５）と、を備えた、ことを特徴とするイベント開催情報提供システム。
【請求項２】
前記検索結果表示手段（１５）に表示されたイベント開催情報に対して、エントリー情報を入力するエントリー情報入力手段（２１）と、
該エントリー情報入力手段により入力されたエントリー情報をイベント主催者に提供するエントリー情報提供手段（２２）と、を備えた、ことを特徴とする請求項１に記載のイベント開催情報提供システム。
【請求項３】
前記イベント開催情報は、イベントの規模、イベントの経緯、協賛・協力企業の有無、イベント主催者の活動状況、およびイベントにおける商品の販売実績等の信用情報を含み、
前記有用性分析手段（１２）は、前記イベント開催情報に含まれる信用情報に基づいて、広告・宣伝効果および地域貢献度について有用性を分析する、ことを特徴とする請求項１又は２に記載のイベント開催情報提供システム。
【請求項４】
前記検索結果表示手段（１５）は、有用性に関する数値情報を、広告・宣伝効果および地域貢献度に関する２次元座標データとして表示する、ことを特徴とする請求項３に記載のイベント開催情報提供システム。
【請求項５】
前記イベント開催情報データベース（１６）は、各イベント開催情報を芸術文化スポーツ活動、地域振興活動、および環境保全活動に分類して記憶する、ことを特徴とする請求項１乃至４のいずれか１項に記載のイベント開催情報提供システム。
【発明の詳細な説明】
【技術分野】
【０００１】
本発明は、各種のイベント開催情報をデータベース化して提供するためのイベント開催情報提供システムに係り、特にイベント主催者に対して情報提供の機会を与えるとともに、イベント参加者に対してイベントの有用性に関する情報を提供することが可能なイベント開催情報提供システムに関するものである。
【背景技術】
【０００２】
従来より、新聞、情報誌、インターネット等の情報伝達媒体を用いて各種のイベント開催情報が提供されている。新聞や情報誌により提供されるイベント開催情報は、全国規模あるいは主要都市部において開催されるイベントに関するものが殆どであり、そのため小規模なイベントや地域に密着したイベント等についての情報入手は、比較的困難なことが多いという問題があった。
この点、インターネットのウェブサイトにより提供されるイベント開催情報は、小規模なイベントや地域に密着したイベントの情報も含めることが容易であり、何人もこれらの情報にアクセスすることが可能である。しかしながら、インターネットを介して提供される情報は種々雑多なものであり、膨大な情報の中から所望の情報を探し出すことが難しく、また情報の信頼性に対する保証もなかった。
【０００３】
そこで、インターネット等を用いてイベント開催情報を提供する際に、利用者の利便性を向上させるための技術が提案されている。例えば、特許文献１の特開２００２−３１２５２５号公報「イベント情報表示システム、イベント情報表示方法、及び、イベント情報表示プログラム」には、演奏会や講演会等のイベント開催情報を、分野別および日付順に検索する技術が種々提案されている。
【０００４】
この特許文献１に記載されている「イベント情報表示システム、イベント情報表示方法、及び、イベント情報表示プログラム」は、ＸＭＬ等のタグ付きデータでイベントデータを作成し、ＸＭＬパーザを用いて属性情報を取り出してイベント開催情報を２次元状に一覧表示するものである。
【０００５】
また、特許文献２の特開２００２−９２２３８号公報「イベント情報提供システムおよびその方法」には、インターネットを利用して、製品やサービスに興味を持つ特定の利用者にイベント開催情報を提供するための技術が種々提案されている。
【０００６】
この特許文献２に記載されている発明は、イベント参加者が特定期間、特定の地域で開催されるイベントに参加することで、イベントを主催するサイト運営者が発行する特典サイトへの特典アクセス権を得ることができるとするものである。そしてこの発明では、特定アクセス権を得た参加者は、特典サイトへアクセスすることにより特典サイトの情報を閲覧することができるとともに、商品を購入する際の割引特典等を受けることができるようになっている。一方、サイト運営者は、イベント参加者に関する情報を得ることができるようになっている。
【特許文献１】特開２００２−３１２５２５号公報
【特許文献２】特開２００２−９２２３８号公報
【発明の開示】
【発明が解決しようとする課題】
【０００７】
ところで、イベント参加者は、自己にとって有用なイベント開催情報の取得を望んでいる。すなわち多くの企業等は、自らの利益を追求するだけでなく、地域に対して貢献することを目指しており、地域貢献に役立つイベントであれば積極的に協賛や後援を行いたいと望んでいる。例えば、ボランティア活動を行っているイベント参加者は、真に自己の能力を役立てることができるイベント開催情報を探している。
このように企業等は、地域振興活動や環境保全活動等に積極的に参加することで、企業イメージを高めることもできる。
【０００８】
しかしながら、上記した特許文献１および特許文献２に記載されている技術では、提供された情報が自己にとって有用な情報か否かの判断を行うのはイベント参加者自身であり、判断の基準となる情報を有していないイベント参加者が、必ずしも適切な判断を行うことができるとは言い難かった。
【０００９】
本発明は、上述した問題点を解決するために創案されたものである。すなわち本発明の目的は、イベント参加者に対してイベントの有用性に関する情報を提供することにより、イベント主催者およびイベント参加者の双方にとってイベントを有効に活用することが可能なイベント開催情報提供システムを提供することにある。
【課題を解決するための手段】
【００１０】
本発明によれば、イベント開催情報を入力するイベント開催情報入力手段（１１）と、該イベント開催情報入力手段により入力された各イベント開催情報について、その有用性を分析して数値情報化する有用性分析手段（１２）と、前記イベント開催情報および有用性に関する数値情報を記憶するイベント開催情報データベース（１６）と、イベント検索情報を入力する検索情報入力手段（１３）と、前記イベント開催情報データベースを参照し、前記検索情報入力手段により入力された検索情報に基づいて所望のイベント開催情報を検索するイベント開催情報検索手段（１４）と、該イベント開催情報検索手段により検索されたイベント開催情報を、有用性に関する数値情報とともに表示する検索結果表示手段（１５）と、を備えた、ことを特徴とするイベント開催情報提供システム（１０）が提供される。
【００１１】
また、前記イベント開催情報提供システム（１０）では、前記検索結果表示手段（１５）に表示されたイベント開催情報に対して、エントリー情報を入力するエントリー情報入力手段（２１）と、該エントリー情報入力手段により入力されたエントリー情報をイベント主催者に提供するエントリー情報提供手段（２２）と、を備えた構成とすることが可能である。
【００１２】
また、前記イベント開催情報提供システム（１０）では、前記イベント開催情報は、イベントの規模、イベントの経緯、協賛・協力企業の有無、イベント主催者の活動状況、およびイベントにおける商品の販売実績等の信用情報を含み、前記有用性分析手段（１２）は、前記イベント開催情報に含まれる信用情報に基づいて、広告・宣伝効果および地域貢献度について有用性を分析することが可能である。
【００１３】
この場合、前記検索結果表示手段（１５）は、有用性に関する数値情報を、広告・宣伝効果および地域貢献度に関する２次元座標データとして表示することが可能である。
【００１４】
また、前記イベント開催情報提供システム（１０）では、前記イベント開催情報データベース（１６）は、各イベント開催情報を芸術文化スポーツ活動、地域振興活動、および環境保全活動に分類して記憶することが可能である。
【発明の効果】
【００１５】
本発明のイベント開催情報提供システムでは、イベント開催情報について、有用性を分析して有用性に関する数値情報を取得し、この数値情報をイベント開催情報とともにデータベース化することにより、イベント参加者がイベント開催情報を検索する際に、イベント開催情報ととともに有用性に関する数値情報を入手することができるので、イベント参加者はイベントの有用性を客観的に判断することができる。
【００１６】
また、イベント参加を希望するイベント参加者がエントリー情報を入力することにより、エントリー情報がイベント主催者に提供されるので、イベント主催者はイベント参加者のエントリー情報を得ることができ、イベント主催者およびイベント参加者の双方がイベント開催情報を有効に活用することができる。
【００１７】
また、イベント開催情報に含まれる信用情報に基づいて広告・宣伝効果および地域貢献度について有用性を分析することにより、イベントの有用性の判断を容易に行うことができるとともに、判断結果の信頼性を高めることができる。
【００１８】
さらに、有用性に関する数値情報を、広告・宣伝効果および地域貢献度に関する２次元座標データとして表示することにより、イベントの有用性を直感的に把握することができる。
【００１９】
また、各イベント開催情報を芸術文化スポーツ活動、地域振興活動、および環境保全活動に分類することにより、イベント主催者にとっては地域貢献度の高さ等をアピールすることができ、イベント参加者にとってはイベント開催情報の検索をより一層容易に行うことができる。
【発明を実施するための最良の形態】
【００２０】
本発明のイベント開催情報提供システムは、イベント開催情報の有用性を分析して数値情報化し、この有用性に関する情報をイベント開催情報とともにデータベースに格納することにより、イベント参加者に対してイベントの有用性に関する情報を提供するとともに、イベント参加者により入力されたエントリー情報をイベント主催者に提供するようにしたシステムである。
【実施例１】
【００２１】
以下、本発明の好ましい実施の形態を図面を参照して説明する。
図１は、実施例１のイベント開催情報提供システムの概略構成を示すブロック図、図２および図３は、イベント開催情報の検索結果表示画面の説明図、図４は、実施例１のイベント開催情報提供システムによりイベント開催情報を提供する手順を示すフローチャートである。
【００２２】
実施例１のイベント開催情報提供システム１０は、図１に示すように、イベント開催情報入力手段１１、有用性分析手段１２、検索情報入力手段１３、イベント開催情報検索手段１４、検索結果表示手段１５、イベント開催情報データベース１６を主な構成要素としている。
【００２３】
なお、実施例１のイベント開催情報提供システム１０を構成する各手段は、コンピュータおよびその周辺機器からなり、コンピュータを構成するＣＰＵ等がアプリケーションプログラムに従って動作することにより、各手段としての機能を発揮するようになっている（実施例２においても同様）。
【００２４】
イベント開催情報入力手段１１は、イベント開催情報を入力するための手段である。このイベント開催情報入力手段１１は、イベント主催者がキーボード等の入力装置を用いて入力したイベントに関する情報を取得して、イベント開催情報データベース１６に格納する機能を有している。
【００２５】
前記イベント開催情報は、例えば、活動名称データ、活動内容データ、スケジュールデータ、事務局データ、およびその他の備考データからなる。さらに、イベント開催情報には、イベントの規模、イベントの経緯、協賛・協力企業の有無、イベント主催者の活動状況、およびイベントにおける商品の販売実績等の信用情報を含むことが好ましい。なお、イベント開催情報に適切な信用情報が含まれていない場合には、システム管理者が、必要最低限の信用情報を付与し、この信用情報をイベント開催情報入力手段１１が取得するような構成とすることが好ましい。
【００２６】
また、イベント開催情報入力手段１１により入力されるイベント開催情報は、所定の分類基準に従って分類される。具体的には、イベント開催情報が、芸術文化スポーツ活動、地域振興活動、および環境保全活動に分類されて、イベント開催情報データベース１６に格納される。
【００２７】
有用性分析手段１２は、イベント開催情報入力手段１１により入力された各イベント開催情報について、その有用性を分析して数値情報化するための手段である。この有用性分析手段１２は、予め定められた分析基準データを参照して、イベント開催情報に含まれる信用情報を分析する機能を有している。有用性の分析は、例えば、広告・宣伝効果と地域貢献度とを勘案して数値データ化される。なお、有用性の分析は、収益効果、集客効果等、他の要素を勘案して数値データ化してもよい。
【００２８】
イベント開催情報データベース１６は、イベント開催情報および有用性に関する数値情報をテーブルデータとして記憶するためのデータベースであり、コンピュータおよびハードディスク記憶装置等の記憶手段により構成される。
【００２９】
検索情報入力手段１３は、イベント検索情報を入力するための手段である。この検索情報入力手段１３は、イベント参加者がキーボード等の入力装置を用いて入力した検索情報を取得して、イベント開催情報検索手段１４に受け渡す機能を有している。イベント参加者が入力するイベント検索情報は、例えば、予め定められた固定キーワードからなるが、フリーキーワードによりイベント開催情報を検索することができるシステム構成とした場合には、所定条件を満たすフリーキーワードをイベント検索情報とすることができる。
【００３０】
また、イベント参加者によるキーワード入力を容易なものとするために、コンピュータに接続された表示装置の表示画面にキーワード入力テンプレートを表示し、このキーワード入力テンプレートの入力欄に所定のキーワードを入力するような構成としたり、予め表示された複数のキーワードにチェック欄を設けておき、所望のキーワードのチェック欄に、マウス等のポインティングデバイスを用いてチェック入力を行うような構成とすることが好ましい。
【００３１】
イベント開催情報検索手段１４は、イベント開催情報データベース１６を参照し、検索情報入力手段１３により入力された検索情報に基づいて所望のイベント開催情報を検索するための手段である。
【００３２】
検索結果表示手段１５は、イベント開催情報検索手段１４により検索されたイベント開催情報を、有用性に関する数値情報とともに表示するための手段であり、コンピュータに接続された液晶表示装置等の表示装置を含んで構成される。
【００３３】
実施例１のイベント開催情報提供システム１０では、図示しないが、イベント開催情報入力手段１１をイベント主催者側の端末の機能として構成し、有用性分析手段１２、情報データベース、およびイベント開催情報検索手段１４をサーバーの機能として構成し、検索情報入力手段１３および検索結果表示手段１５をイベント参加者側の端末の機能として構成し、サーバーおよび各端末間をインターネット等の電気通信回線により接続した構成とすることが好ましい。
このように、クライアント／サーバーシステムによりイベント開催情報提供システム１０を構成することにより、遠隔地間で迅速かつ容易にイベント開催情報を提供することが可能となる。
【００３４】
次に、図２および図３を参照して、イベント開催情報の検索結果表示画面について説明する。
検索結果表示手段１５により表示される検索結果は、メイン画面およびサブ画面として表示される。
【００３５】
メイン画面には、図２に示すように、活動名称データ、活動内容データ、スケジュールデータ、事務局データ、およびその他のデータが表示される。さらに、メイン画面には、サブ画面である分析・分布画面へのリンク表示３１がなされる。
【００３６】
活動名称データとはイベントの名称に関するデータのことであり、活動内容データとはイベントの具体的内容に関するデータのことであり、スケジュールデータとはイベント開催日時に関するデータのことであり、事務局データとはイベント主催者に関するデータのことであり、その他のデータとはこれらの定型データには含まれないが、イベント開催情報として有用な任意データのことである。
【００３７】
分布・分析画面には、図３に示すように、縦軸が広告・宣伝効果に関する値で、横軸が地域貢献効果に関する値である２次元領域内に、当該イベントの有用性が２次元座標として表示される。この２次元座標では、広告・宣伝効果および地域貢献効果がそれほど高くない場合に「参加にやや有効である」と評価され、広告・宣伝効果がそれほど高くはないが地域貢献効果が高い場合に「参加に有効である」と評価され、広告・宣伝効果および地域貢献効果が高い場合に「協賛に有効である」と評価される。
【００３８】
図３に示す例では、例えば、広告・宣伝効果および地域貢献効果が高い座標位置に星印４１が表示されているため、「協賛に有効である」ことを直感的に認識することができる。さらに、画面の下部に当該イベントに関するコメントを表示することにより、イベント参加者の利便性を高めることができる。
【００３９】
次に、図４を参照して、実施例１のイベント開催情報提供システム１０によりイベント開催情報を提供する手順を説明する。
実施例１のイベント開催情報提供システム１０によりイベント開催情報を提供するには、図４に示すように、まず、イベント主催者がイベント開催情報の登録を行う（Ｓ１）。この際、イベント主催者は、活動名称データ、活動内容データ、スケジュールデータ、事務局データ、その他の備考データを登録するとともに、イベントの規模、イベントの経緯、協賛・協力企業の有無、イベント主催者の活動状況、およびイベントにおける商品の販売実績等の信用情報を入力し、イベント開催情報入力手段１１によりイベント開催情報が取得されてイベント開催情報データベース１６に格納される。
【００４０】
続いて、有用性分析手段１２により、予め定められた分析基準データを参照して、イベント開催情報に含まれる信用情報を分析する（Ｓ２）。この際、広告・宣伝効果と地域貢献度とを勘案してイベントの有用性が数値データ化される。なお、数値データ化されたイベントの有用性データは、イベント開催情報に関連付けてイベント開催情報データベース１６に格納される。
【００４１】
そして、検索情報入力手段１３により検索情報が入力されると（Ｓ３）、イベント開催情報検索手段１４によりイベント開催情報が検索され（Ｓ４）、検索結果表示手段１５により検索結果が表示される（Ｓ５）。上述したように、検索結果は、活動名称データ、活動内容データ、スケジュールデータ、事務局データ、およびその他のデータを表示するメイン画面と、有用性データを表示するサブ画面とに分けて表示される。
【００４２】
このように、実施例１のイベント開催情報提供システム１０によれば、イベント開催情報とともに表示される有用性データに基づいて、イベントの有用性を客観的に判断することができる。
【実施例２】
【００４３】
図５は、実施例２のイベント開催情報提供システムの概略構成を示すブロック図、図６および図７は、イベント開催情報の検索結果表示画面の説明図、図８は、実施例２のイベント開催情報提供システムによりイベント開催情報を提供する手順を示すフローチャートである。
【００４４】
図５に示すように、実施例２のイベント開催情報提供システム２０は、上述した実施例１のイベント開催情報提供システム１０の構成要素に対して、エントリー情報入力手段２１およびエントリー情報提供手段２２を付加した構成となっている。
以下、図１に示す実施例１のイベント開催情報提供システム１０と同様の構成要素に対しては同一の符号を付して詳細な説明を省略し、実施例１のイベント開催情報提供システム１０と相違する構成要素についてのみ説明する。
【００４５】
エントリー情報入力手段２１は、検索結果表示手段１５に表示されたイベント開催情報に対して、イベント参加者がエントリー情報を入力するための手段である。このエントリー情報入力手段２１は、イベント参加者がキーボード等の入力装置を用いて入力したエントリー情報を取得して、所定のデータベースに格納する機能を有している。なお、取得したエントリー情報を格納するデータベースは、イベント開催情報データベース１６と兼用のものであってもよいし、独立して構築されたものであってもよい。
【００４６】
エントリー情報提供手段２２は、エントリー情報入力手段２１により入力されたエントリー情報をイベント主催者に提供するための手段である。このエントリー情報提供手段２２は、例えば、取得したエントリー情報を所定の文書形式に整えた後に、イベント主催者のメールアドレスに対して自動的にｅ−ｍａｉｌを送信したり、あるいはイベント主催者のファクシミリ装置に対してファクシミリ送信する機能を有している。
【００４７】
なお、エントリー情報提供手段２２によりエントリー情報を提供する方法は、ｅ−ｍａｉｌ送信やファクシミリ送信に限定されるものではなく、例えば、エントリー情報をイベント主催者および所定のアクセス権限を有する者のみがアクセスできるサーバーの記憶領域に格納することにより、エントリー情報を提供してもよい。エントリー情報をサーバーの記憶領域に格納した場合には、イベント主催者がサーバーにアクセスすることにより、エントリー情報を取得することができる。この場合、エントリー情報がサーバーの記憶領域に格納されたことをイベント主催者に通知するために、イベント主催者のメールアドレスに対し、自動的にｅ−ｍａｉｌを送信するような構成とすることが好ましい。
【００４８】
次に、図６および図７を参照して、イベント開催情報の検索結果表示画面について説明する。
検査結果表示手段により表示される検索結果は、メイン画面およびサブ画面として表示されることは、上述した実施例１と同様である。
【００４９】
メイン画面には、図６に示すように、活動名称データ、活動内容データ、スケジュールデータ、事務局データ、およびその他のデータが表示される。さらに、メイン画面には、サブ画面である分析・分布画面へのリンク表示３１およびエントリー画面へのリンク表示３２がなされる。
各データの内容、および分布分析画面の内容は、上述した実施例１と同様である。
【００５０】
データエントリ画面には、図７に示すように、エントリー項目、およびイベント参加者に関する情報の入力画面が表示される。
具体的には、エントリー項目として、「イベントまたは活動に参加する」、「広告・宣伝を希望する」、「商品の展示を希望する」、「商品の販売を希望する」旨の項目が細分類されて、表示される。イベント参加者は、所望のエントリー項目のチェック欄５１に、マウス等のポインティングデバイスを用いてチェック入力を行うことにより、エントリー項目を選択することができる。
【００５１】
また、イベント参加者に関する情報の入力欄には、企業名・グループ名、参加等の日時、場所、提供品等の項目が表示され、イベント参加者は、必要な項目に入力を行うことにより、自己の情報を開示することができる。
【００５２】
次に、図８を参照して、実施例２のイベント開催情報提供システム１０によりイベント開催情報を提供する手順を説明する。
実施例２のイベント開催情報提供システム１０によりイベント開催情報を提供するには、図８に示すように、イベント開催情報登録処理（Ｓ１１）、イベント有用性分析処理（Ｓ１２）、検索情報入力処理（Ｓ１３）、イベント開催情報検索処理（Ｓ１４）、検索結果表示処理（Ｓ１５）が行われる。
【００５３】
続いて、エントリー情報入力手段２１によりエントリー情報が入力されると（Ｓ１６）、エントリー情報提供手段２２により、エントリー情報がイベント主催者に提供される（Ｓ１７）。
【００５４】
このように、実施例２のイベント開催情報提供システム１０によれば、イベント参加者は、イベント主催者に対して自らの情報を提供することができ、イベント主催者は、イベント参加者のエントリー情報を得ることができるので、イベント主催者およびイベント参加者の双方がイベント開催情報を有効に活用することができる。
【００５５】
なお、上述した例では、インターネットを利用したクライアント／サーバーシステムにより構築されたイベント開催情報提供システム１０について詳述したが、専用回線や無線回線等を用いた他の情報網を利用することによりイベント開催情報提供システム１０を構築するといった種々の形態にすることができ、本発明の要旨を逸脱しない範囲で種々変更できることは勿論である。
【産業上の利用可能性】
【００５６】
本発明のイベント開催情報提供システム１０，２０は、主に地域活動に重点をおいた各種のイベント開催情報をデータベース化して提供するために利用できるが、全国的なイベント開催情報を提供する際にも利用することができる。
【図面の簡単な説明】
【００５７】
【図１】本発明の実施例１に係るイベント開催情報提供システムの概略構成を示すブロック図である。
【図２】本発明の実施例１におけるイベント開催情報の検索結果表示画面（メイン画面）の説明図である。
【図３】本発明の実施例１におけるイベント開催情報の検索結果表示画面（分布・分析画面）の説明図である。
【図４】本発明の実施例１に係るイベント開催情報提供システムによりイベント開催情報を提供する手順を示すフローチャートである。
【図５】本発明の実施例２に係るイベント開催情報提供システムの概略構成を示すブロック図である。
【図６】本発明の実施例２におけるイベント開催情報の検索結果表示画面（メイン画面）の説明図である。
【図７】本発明の実施例２におけるイベント開催情報の検索結果表示画面（エントリー画面）の説明図である。
【図８】本発明の実施例２に係るイベント開催情報提供システムによりイベント開催情報を提供する手順を示すフローチャートである。
【符号の説明】
【００５８】
１０，２０  イベント開催情報提供システム
１１  イベント開催情報入力手段
１２  有用性分析手段
１３  検索情報入力手段
１４  イベント開催情報検索手段
１５  検索結果表示手段
１６  イベント開催情報データベース
２１  エントリー情報入力手段
２２  エントリー情報提供手段
３１，３２  リンク表示
４１  星印
５１  チェック欄
【図１】
2007065812.tif 000003
【図２】
2007065812.tif 000004
【図３】
2007065812.tif 000005
【図４】
2007065812.tif 000006
【図５】
2007065812.tif 000007
【図６】
2007065812.tif 000008
【図７】
2007065812.tif 000009
【図８】
2007065812.tif 000010